(57)【要約】【課題】      ズボンが皺にならずに収納できるツーリストバッグを提供する。【解決手段】  三つ折り可能な長方形状のツーリストバッグであって、外側シート体１１と内側シート体１２と少なくとも１つの仕切りシート体１３とを有する。外側シート体と仕切りシート体は１つの長辺が直接またはマチ片１４を介して連結され且つ残りの長辺および２つの短辺がファスナー１５により開閉可能に連結され、内側シート体１２と仕切りシート体１３は１つの長辺が直接またはマチ片を介して連結され且つ残りの長辺および２つの短辺がファスナー１５により開閉可能に連結されており、外側シート体、内側シート体および仕切りシート体により少なくとも２つの長方形の収納室が形成される。ズボンを挾み込めるようにした可撓性の２つのシートからなるズボンホルダ２が収納室に着脱自在に設けられる。【選択図】    図５
2006223668.tif 000002
【特許請求の範囲】
【請求項１】
三つ折り可能な長方形状のツーリストバッグであって、外側シート体と内側シート体と少なくとも１つの仕切りシート体とを有し、外側シート体と仕切りシート体は１つの長辺が直接またはマチ片を介して連結され且つ残りの長辺および２つの短辺がファスナーにより開閉可能に連結され、内側シート体と仕切りシート体は１つの長辺が直接またはマチ片を介して連結され且つ残りの長辺および２つの短辺がファスナーにより開閉可能に連結されており、前記外側シート体、内側シート体および仕切りシート体により少なくとも２つの長方形の収納室が形成され、可撓性のシートからなるズボンホルダが前記収納室に着脱自在に設けられることを特徴とするツーリストバッグ。
【請求項２】
前記外側シート体と内側シート体の間に仕切りシート体が２つ設けられ、前記２つの仕切りシート体は１つの長辺が直接またはマチ片を介して連結され且つ残りの長辺および２つの短辺がファスナーにより開閉可能に連結されており、前記外側シート体、内側シート体および２つの仕切りシート体により３つの長方形の収納室が形成されていることを特徴とする請求項１記載のツーリストバッグ。
【請求項３】
前記ズボンホルダは略長方形状の２つのシートからなり、１つの長辺が繋がった状態で、残りの３辺が開いた状態であり、２つのシートの間にズボンを挟めるようにしたことを特徴とする請求項１または２記載のツーリストバッグ。
【請求項４】
前記ズボンホルダは略長方形状の２つのシートからなり、１つの長辺と１つの短辺とが繋がった状態で、残りの２辺が開いた状態であり、２つのシートの間にズボンを挟めるようにしたことを特徴とする請求項１または２記載のツーリストバッグ。
【請求項５】
隣接する２つの収納室に関して、ファスナーが設けられていない長辺の位置が異なっていることを特徴とする請求項１〜４のいずれか１項に記載のツーリストバッグ。
【請求項６】
前記仕切りシート体に対の面ファスナーの一方が取付けられ、前記ズボンホルダに前記対の面ファスナーの他方が取付けられていることを特徴とする請求項１〜５のいずれか１項に記載のツーリストバッグ。
【請求項７】
前記内側シート体または外側シート体に対の面ファスナーの一方が取付けられ、前記ズボンホルダに前記対の面ファスナーの他方が取付けられていることを特徴とする請求項１〜６のいずれか１項に記載のツーリストバッグ。
【請求項８】
前記外側シート体にリングが取着されており、該リングに着脱自在に係合可能なフックを両端に有する吊下げバンドを備えていることを特徴とする請求項１〜７のいずれか１項に記載のツーリストバッグ。
【請求項９】
前記内側シート体にブラシ収納用ポケットが設けられていることを特徴とする請求項１〜８のいずれか１項に記載のツーリストバッグ。
【請求項１０】
前記収納室にズボンホルダ保持具が設けられていることを特徴とする請求項１〜９のいずれか１項に記載のツーリストバッグ。
【請求項１１】
前記収納室にハンガー取付け部材が設けられていることを特徴とする請求項１〜１０のいずれか１項に記載のツーリストバッグ。
【発明の詳細な説明】
【技術分野】
【０００１】
本発明は衣服を収納して携帯搬送するためのツーリストバッグに関し、特にズボンを搬送するためのツーリストバッグに関する。
【背景技術】
【０００２】
従来、衣服を携帯搬送するためのツーリストバッグ（ガーメントケース）が種々市販されている。
【０００３】
この中で多いタイプは実公平２−３２９６号公報（特許文献１）に開示されているような形状のもので、外側片と内側片により袋体を形成して、その外周縁にスライドファスナーを縫着して開閉自在とし、二つ折りのツーリストバッグとしたものである。
【０００４】
内側片は中央部にスライドファスナーが設けられており、スライドファスナーで開閉できるようになっており、その内側上方の中央部に洋服掛けを吊下げた構造としている。このようなツーリストバッグにおいては、内部に設けられた洋服掛けに上衣を掛けるとともに、その洋服掛けにズボンを二つ折り状態で吊下げて収納し、そして持ち運ぶようになっている。この二つ折りタイプのものは非常に多数使用されている。
【０００５】
また、実公平６−４６３３９号公報（特許文献２）には周縁に吊下部を備え、吊下部を介して吊り下げた際に前面に観音開きのカバーが配置され、左右のカバーを開いた内部に衣服を吊り下げる衣装用バッグであって、三つ折りできるようにしたものが開示されている。
【０００６】
この特許文献２に開示されているバッグも衣服を掛ける際は、内部の吊下部に上衣およびズボンを二つ折り状態にして掛けるものである。そしてカバーを閉じた状態でバッグを三つ折りにして搬送を行うものである。
【０００７】
特開２００３−１５３７１９号公報（特許文献３）には、折返胴部と前胴部と後胴部とを一連に展開自在とした胴板体と衣装カバーシートとを備えたガーメントケースであって、前胴部の左右と後胴部の左右にそれぞれ帯状体を取付けて、胴板体を三つ折り状態として帯状体に設けたスライドファスナーを閉じることによりトートバッグ状のケースとするものが開示されている。
【０００８】
このようなケースにおいても、胴板体と衣装カバーシートの間に洋服を入れるものであるが、中にハンガーが設けられており、このハンガーに洋服を掛けるようになっているものである。
【特許文献１】実公平２−３２９６号公報
【特許文献２】実公平６−４６３３９号公報
【特許文献３】特開２００３−１５３７１９号公報
【発明の開示】
【発明が解決しようとする課題】
【０００９】
前述した特許文献１〜３に開示されているような衣装収納用バッグにおいては上衣をハンガーに掛けるとともに、そのハンガーにズボンを二つ折りにして掛けているため、ズボンの膝上辺りに横方向の折り目が付いてしまうという問題がある。また１週間程度の比較的長期の出張や海外旅行などにおいては、そのＴＰＯに合わせて洋服を替えることが好ましいが、上下合わせて何着も用意すると荷物が嵩張ってしまうという問題がある。
【００１０】
本発明では、上衣は車中や飛行機の中では着用していないことが多く、比較的皺になり難いが、ズボンは皺になってしまうという問題があること、また上衣は替えなくてもズボンだけを替えることによってフォーマルな感じ（ビジネスに向いた状態）やラフな感じでショッピングや観光などに適した状態などと変化をつけられることに着目した。例えば、上が黒い上衣で黒いパンツとしたり、黒いスーツでもズボンをグレーとしたりすることによって変化に富ませることができる。このように、上衣よりもズボンを余分に持っていくと変化をつけ易いことに着目したものである。このため１週間程度の旅行においては、２本以上、好ましくは３本以上、の替えのズボンを用意しておくことが好ましい。また、この場合も特許文献１〜３に示すように、上衣とズボンとを組合わせてハンガーに掛けるという状態ではズボンに横皺ができてしまうので、本発明はズボンが皺にならずに収納できるツーリストバッグを提供することを目的とするものである。
【課題を解決するための手段】
【００１１】
本発明は、三つ折り可能な長方形状のツーリストバッグであって、外側シート体と内側シート体と少なくとも１つの仕切りシート体とを有し、外側シート体と仕切りシート体は１つの長辺が直接またはマチ片を介して連結され且つ残りの長辺および２つの短辺がファスナーにより開閉可能に連結され、内側シート体と仕切りシート体は１つの長辺が直接またはマチ片を介して連結され且つ残りの長辺および２つの短辺がファスナーにより開閉可能に連結されており、前記外側シート体、内側シート体および仕切りシート体により少なくとも２つの長方形の収納室が形成され、可撓性のシートからなるズボンホルダが前記収納室に着脱自在に設けられることを特徴とするツーリストバッグによって前記目的を達成した。
【００１２】
好ましくは、外側シート体と内側シート体の間に仕切りシート体が２つ設けられ、この２つの仕切りシート体は１つの長辺が直接またはマチ片を介して連結され且つ残りの長辺および２つの短辺がファスナーにより開閉可能に連結されており、これによって外側シート体、内側シート体および２つの仕切りシート体により３つの長方形の収納室が形成されていることである。
【００１３】
また、隣接する２つの収納室に関して、ファスナーが設けられていない長辺の位置が異なっていることが好ましい。各収納室にズボンホルダ保持具が設けられていることが好ましい。また、各収納室にハンガー取付け部材が設けられていることが好ましい。
【００１４】
ズボンホルダは略長方形状の２つのシートからなり、１つの長辺が繋がった状態で、残りの３辺が開いた状態のもの、または、１つの長辺と１つの短辺とが繋がった状態で、残りの２辺が開いた状態のものであり、２つのシートの間にズボンを挟めるようにすることが好ましい。
【００１５】
仕切りシート体に対の面ファスナーの一方が取付けられ、ズボンホルダに前記対の面ファスナーの他方が取付けられていることが好ましい。また、内側シート体または外側シート体に対の面ファスナーの一方が取付けられ、前記ズボンホルダに前記対の面ファスナーの他方が取付けられているようにしてもよい。
【００１６】
更に、外側シート体にリングが取着されており、該リングに着脱自在に係合可能なフックを両端に有するバンドを備えていることが好ましい。また、内側シート体にブラシ収納用ポケットが設けられていることが好ましい。
【００１７】
なお、本発明において、内側シート体、外側シート体または仕切りシート体を構成しているシート体は、１枚のシートまたは複数枚のシートの組合せからなっている。
【発明の効果】
【００１８】
本発明によれば、可撓性のシートからなるズボンホルダの間にズボンを真直ぐ延ばしたまま挟み込み、そしてその状態で外側シート体と内側シート体および仕切りシート体からなるツーリストバッグ本体の中に収納するものである。従って、ズボンは可撓性のシートで保護された状態になるため、ツーリストバッグを三つ折りにしても皺にならず、横方向の癖が付いたりせず、反って、アイロンをかけたように縦方向（ズボンの長さ方向）の折目が付いた状態となる。
【００１９】
また、本発明のツーリストバッグは少なくとも２つの収納室があるので、各収納室にズボンを収納することができ、少なくとも２本のズボンを収納して持ち運ぶことができる。収納室が３つあると３本のズボンを持ち運ぶことができ、１週間程度の出張や旅行には特に適している。
【００２０】
本発明によれば、背広やジャケットなどの上衣を収納することを目的としていないので、比較的コンパクトなツーリストバッグとすることができる。なお、替えの背広やジャケットが必要ならば、旅行かばん（キャリーケース）などに入れて搬送すればよい。
【００２１】
ズボンホルダはほぼ長方形状の２つの可撓性のシートからなり、１つの長辺が繋がった状態で、残りの３辺が開いた状態のもの、または、１つの長辺と１つの短辺とが繋がった状態で、残りの２辺が開いた状態のものであるので、２つのシートの間にズボンを簡単に挟み込むことができる。また、隣接する２つの収納室に関して、ファスナーが設けられていない長辺の位置を異ならせると、長辺のファスナーの位置が互い違いになるので、ツーリストバッグの厚みを薄くすることができる。
【００２２】
また、本発明によれば、収納室を構成するシート体（仕切りシート体、内側シート体、外側シート体）に対の面ファスナーの一方を取付け、ズボンホルダに前記対の面ファスナーの他方を取付けると、ズボンホルダがツーリストバッグの中で動いたりしない。従って、ズボンホルダに挟み込んだズボンも移動しないので、ズボンに皺がよることを防止できる。更に、ズボンホルダ保持具を設けると、ズボンホルダをより確実に固定することができる。
【００２３】
更に、外側シート体にリングを取付け、このリングに着脱自在に係合可能なフックを両端に有する吊下げバンドを備えておけば、フックをリングに引っ掛けて、吊下げバンドをツーリストバッグに取付け、この吊下げバンドを利用してキャリーケースのハンドルに本発明のツーリストバッグを吊下げることができ、キャリーケースと共に搬送することができる。或は、吊下げバンドを肩に懸けて本発明のツーリストバッグを持ち運ぶことができる。
【００２４】
更に、本発明のツーリストバッグにブラシ収納用ポケットやハンガー取付け部材を設けて、ブラシやハンガーを備えておくと、ズボンに付いた埃を払ったり、ズボンをハンガーに懸けたりできるので便利である。
【発明を実施するための最良の形態】
【００２５】
以下、図面に示した本発明の実施例に基いて詳細に説明する。図１（ａ）は本発明のツーリストバッグの正面側から見た斜視図であり、（ｂ）は背面側から見た斜視図である。図２は図１に示したツーリストバッグを展開した状態を示す斜視図である。図３（ａ）および（ｂ）は図２の状態から図１の状態に戻すためにツーリストバッグを折畳む際の手順を示す斜視図である。図４は図２に示したIV−IV線に沿って断面した断面図である。図５（ａ）はスライドファスナーを開けた状態のツーリストバッグ本体および中に収納するためのズボンホルダを示す斜視図であり、（ｂ）はズボンホルダの反対側の面を示す斜視図である。
【００２６】
本発明のツーリストバッグの本体１は外側シート体１１（図１参照）、内側シート体１２（図３参照）および少なくとも１つの仕切りシート体１３（図４参照）から構成されている。
【００２７】
図１に示すように、外側シート体１１には一対の把手４１および折畳んだ状態をよりしっかりと固定するためのバンド４２およびその止め金具４３が取付けられている。また把手４１には持ち易くするためのカバー４４を設けている。把手４１は外側カバーの一端部側に設けられるとともに、他方の把手４１は外側シート体の中央付近に取着されており、ツーリストバッグを三つ折りにしたときに両把手４１が合わさるような形で取付けられている。
【００２８】
バンド４２を止め金具４３から外して開いた状態が図２に示されている。図２に示すように、内側シート体１２には面ファスナー１６ａ、１６ｂ、１６ｃが取付けられている。面ファスナー１６ｂと１６ｃが雌雄一対の組合わせであり、図３（ａ）に示すような矢印方向に折畳んだときに互いに係合する。そして、内側シート体１２に取付けられた面ファスナー１６ａは、外側シート体１１に取付けられた面ファスナー１６ｄと雌雄一対のものであり、図３（ｂ）に示すような矢印方向に折畳んだときに面ファスナー１６ａと面ファスナー１６ｄが互いに係止した状態となり、図１に示したような三つ折り状態を保つことができるようになっている。
【００２９】
図４に示した実施例においては、ツーリストバッグ本体１は外側シート体１１と内側シート体１２および２つの仕切りシート体１３、１３から構成されている。なお、図４の実施例においては、外側シート体１１および内側シート体１２は、それぞれ１枚のシートで構成しているが、それぞれ２枚またはそれ以上の枚数のシートを組合せてもよい。また、図４の実施例においては、各仕切りシート体１３を２枚のシートで構成しているが、１枚としまたは３枚以上の枚数のシートを組合せてもよい。
【００３０】
図２に示すように、ツーリストバッグを展開した状態では全体が略長方形状であり、ズボンを真っ直ぐに延ばした状態で収納できるような大きさを有している。例えば、長辺の長さＡは少なくとも９５ｃｍ、好ましくはＭサイズでは１１０ｃｍ以上、Ｌサイズでは１２０ｃｍ以上とし、短辺の長さＢは少なくとも３７ｃｍ、好ましくはＭサイズでは４３ｃｍ以上、Ｌサイズでは４４ｃｍ以上とする。
【００３１】
図２および図４に示すように、外側シート体１１と一方の仕切りシート体１３はマチ片１４を介して、長辺が連結されており、残りの長辺および２つの短辺はスライドファスナー１５により開閉自在に連結されている。また、内側シート体１２および他方の仕切りシート体１３も同様に長辺１４に設けられたマチ片１４により連結され、残りの３辺はスライドファスナー１５により開閉自在に連結されている。更に、２つの仕切りシート体１３、１３も、図４に示すように、マチ片１４によりその長方形の長辺の１つが連結され、残りの３辺がスライドファスナー１５により開閉自在に連結されている。このように構成することにより３つの収納室３１、３２、３３が形成されている。なお、この実施例ではマチ片１４を介して仕切りシート体１３と外側シート体１１或いは内側シート体１２が連結されているが、マチ片１４を設けずに、直接に連結してもよい。また仕切りシート体１３と仕切りシート体１３の間もマチ片１４を用いて連結しているが、直接に連結してもよい。
【００３２】
また、ファスナー１５の取付け方は図４に示すように、隣接する収納室３１、３２、３３の開く方向が逆になるように、すなわち、連結するマチ片１４の位置が互い違いになるように取付けることが好ましい。
【００３３】
図４に示した実施例では、収納室３１に関してマチ片１４が右側に設けられており、ファスナー１５を全開すると内側シート体１２を右側に開けられる。収納室３２に関してマチ片１４が左側に設けられており、ファスナー１５を全開すると内側シート体１２および上側の仕切りシート体１３を左側に開けられる。収納室３３に関してマチ片１４が右側に設けられており、ファスナー１５を全開すると外側シート体１１を右側に開けられる。このように開けるときの向きが逆になり、ズボンを入れる際に左右逆にすることによりズボンを収納した状態のツーリストバッグの厚みが厚くならないようにすることができる。
【００３４】
図４に示した実施例は収納室３１、３２、３３が３層になっているものであるが、図８に示す別の実施例のように、仕切りシート体１３を１つとして収納室３１、３２を２層とすることも可能である。この場合、外側シート体１１と内側シート体１２はそれぞれ１つの仕切りシート体１３に連結されるが、マチ片１４を利用してもよいし直接に取付けてもよい。この場合もマチ１４片を取付ける長辺を互い違いにすることが好ましい。
【００３５】
なお、図８の実施例においては、外側シート体１１、内側シート体１２および仕切りシート体１３は、それぞれ１枚のシートで構成しているが、それぞれ２枚またはそれ以上の枚数のシートを組合せてもよい。
【００３６】
図５（ａ）は内側シート体１２のファスナー１５を開けた状態と、その収納室３１に収納されるズボンを挟むためのズボンホルダ２を示す斜視図であり、（ｂ）は（ａ）に示したズボンホルダの反対側の面を示す斜視図である。ファスナー１５を開けると内側シート体１２と仕切りシート体１３の間の空間（収納室３１）が開いた状態となる。仕切りシート体１３にはズボンホルダ保持具１７が２箇所設けられており、この保持具１７は平ゴム１７ａとバックル１７ｂとからなり、バックル１７ｂの止め外しにより、ズボンホルダ２の保持や解放が行える。また仕切りシート体１３には例えば幅方向に延びる面ファスナー１８が長手方向に間隔を開けて３箇所に取付けられている。
【００３７】
ズボンホルダ２は外側シート体１１や内側シート体１２に比較して剛性を有する可撓性のシートで構成され、好ましくはポリエチレンやポリプロピレンなどの合成樹脂製シートからなり、ズボンを挟むのに適した長さおよび幅を有しており、略長方形状である。このズボンホルダ２は２つのシート２１、２２または１つのシートを二つ折りにして２つのシート２１、２２としてもよい。
【００３８】
図５（ａ）に示すように、ズボンホルダ２は一方の長辺２３および短辺２４が繋がった状態（すなわち２つのシート２１、２２が連結または連続している状態）であり、他方の長辺２５および短辺２６は連結されておらず、口が開いている状態となっている。そして図５（ｂ）に矢印Ｓで示すように、その開いた箇所からズボンを真直ぐに延ばした状態で両シート２１、２２の間に挟み込むようにしている。
【００３９】
ズボンホルダ２は閉じられた短辺２４の幅が狭く、反対側の開いている短辺２６の側の幅が広いようにしていることが好ましい。このようにすると閉じている側にズボンの裾部を位置させ、開いている側にズボンの腰部を入れるようにすると入れ易い。
【００４０】
また、ズボンホルダ２は図５（ｂ）に示すように、その片面に面ファスナー２７が６個設けられている。この面ファスナー２７は仕切りシート体１３に設けた面ファスナー１８と対をなすものである。雌雄対の面ファスナー１８、２７の取付け方は、一方が横で他方が縦というように取付けると、ズボンホルダ２を仕切りシート体１３の上に置いた際に位置が多少ずれても面ファスナー１８、２７を係合できる。
【００４１】
また、ズボンホルダ２には、ズボンを入れた状態で開口を閉じるためにクリップ（図示せず）を着脱自在に設けたり、或いはバンド（図示せず）で中のズボンが落ちないように止め付けるようにしてもよい。
【００４２】
ズボンホルダ２の中にズボンを収納した後に、図６に示すように仕切りシート体１３に設けた保持具１７の係合を外してズボンホルダ２を置き、そして再び保持具１７を留める。このようにしてズボンホルダ２を固定する。なお、面ファスナー１８および２７によりズボンホルダ２を固定できるので、保持具１７は必ずしも必要ではないが、保持具１７によりズボンホルダ２をより一層しっかり押えることができ、ズボンホルダ２が移動することを防止できる。
【００４３】
このような構成は収納室３１だけではなく収納室３２および収納室３３においても同様とされる。従って、この実施例では３本のズボンを収納することができる。
【００４４】
また、図７（ａ）は持ち運びに使用するための吊下げバンド３を示す斜視図であり、（ｂ）は本発明のツーリストバッグ１の別の実施例に吊下げバンド３を取付けた状態を示している。
【００４５】
吊下げバンド３はその両端にフック３１が設けられており、その途中に長さ調節金具３２が設けられており、長さ調節が可能である。図７（ｂ）に示すように、この実施例ではツーリストバッグ本体１には吊下げバンド３のフック３１と係合するためのリング４５が設けられている。このリング４５にフック３１を引掛けることにより、吊下げバンド３をツーリストバッグ１に取付けられる。そして図７（ｃ）に示すように、この吊下げバンド３を旅行用のキャリングケース５の把手５１に引掛けることにより、キャリングケース５と一緒に本発明のツーリストバッグ１を搬送することができる。或は、吊下げバンド３の長さを長くして、ツーリストバッグ１を吊下げバンド３により肩から懸けて、持ち運ぶようにしてもよい。
【００４６】
図９〜図１３は本発明のツーリストバッグの更に別の実施例を示すものである。図９はこの実施例のツーリストバッグを背面側から見た斜視図であり、吊下げバンド３を取付けた状態で示している。図１０は図９に示したツーリストバッグを展開した状態を示す斜視図であり、図１１（ａ）はスライドファスナーを開けた状態のツーリストバッグ本体および中に収納するためのズボンホルダを示す斜視図であり、（ｂ）はズボンホルダの反対側の面を示す斜視図である。図１２はスライドファスナーを開けた状態のツーリストバッグ本体および中に収納したズボンホルダを示す斜視図である。図１３はハンガー取付け部材を示す部分斜視図である。なお、この実施例において前述した実施例と同じ部品には同じ番号を付して、詳細な説明を省いた。
【００４７】
図９〜図１３に示した実施例において、図９に示すように、外側シート体１１の背面側にはポケット６１が設けられ、ポケット口にはファスナー６２が取付けられている。このポケット６１は小物類や本等を収納するのに適している。
【００４８】
また、図１０に示すように、内側シート体１２の外側にはポケット６３が設けられ、このポケット６３にはファスナー６４が取付けられている。このポケット６３は厚みのある細長いものが収容できるような形状としているので、洋服ブラシを収納するのに適している。
【００４９】
図１１（ａ）に示すように、内側シート体１２のファスナー１５を開けると内側シート体１２と仕切りシート体１３の間の空間（収納室３１）が開いた状態となる。この実施例では、内側シート体１２にズボンホルダ保持具１７が２箇所設けられており、各保持具１７は２本の平ゴム１７ｃ、１７ｄとバックル１７ｂとからなる。一方の平ゴム１７ｃはＶ字状に折曲げられ、Ｖ字の両端が内側シート体１２に縫着され、Ｖ字の尖端にバックル１７ｂの雌側または雄側が取着されている。他方の平ゴム１７ｄは一端が内側シート体１２にに縫着され、その中間部に長さ調節可能にバックル１７ｂの雄側または雌側が取着されている。バックル１７ｂの止め外しにより、ズボンホルダ２の保持や解放が行える。この実施例のズボンホルダ保持具１７は図示したように全体としてＹ字状となり、図５および図６に示したものよりも、しっかりとズボンホルダ２を押えることができる。
【００５０】
また、内側シート体１２には例えば幅方向に延びる面ファスナー１８が長手方向に間隔を開けて３箇所に取付けられている。
【００５１】
この実施例におけるズボンホルダ２は、２つのシート２１、２２または１つのシートを二つ折りにして２つのシート２１、２２からなる。このシート２１、２２は図５および図６に示したズボンホルダ２と同様の材質、大きさのものを使用すればよい。シート２１、２２は、図５、図６に示したズボンホルダ２と異なって、一方の長辺２３のみが繋がった状態であり、残りの３辺２４、２５、２６は連結されておらず、口が開いている状態となっている。
【００５２】
この実施例においてもズボンホルダ２は図１１（ｂ）に示すように、その片面に面ファスナー２７が６個設けられている。この面ファスナー２７は内側シート体１２に設けた面ファスナー１８と対をなすものである。
【００５３】
図１１に示した状態からズボンホルダ２にズボンを挟む場合は、まずズボンホルダ保持具１７のバックル１７ｂを外し、内側シート１２の面ファスナー１８とズボンホルダ２の面ファスナー２７を係合させて、ズボンホルダ２を固定する。そして、ズボンホルダ２の上側のシート２１を平らに広げて、面ファスナー２７が取付けられている側のシート２２の上にズボンを平らに置き、他方のシート２１をその上から被せる。次に、ズボンホルダ保持具１７のバックル１７ｂを嵌めて、ズボンホルダ２を固定すればよい。
【００５４】
図１１および図１３に示すように、内側シート１２の短辺の近くにハンガー取付け部材６５が設けられている。ハンガー取付け部材６５は一端が内側シート体１２に縫着されている２つの短いテープからなり、２つのテープの対向する面に対の面ファスナーが取付けられている。２つのテープの間にハンガー７の一部を挟んで面ファスナーを係合させると、ハンガー７を固定できる。なお、図示した実施例ではハンガー取付け部材６５は内側シート体１２に縫着されているが、他の収納室の場合は仕切りシート体１３や外側シート体１１に縫着してもよい。
【図面の簡単な説明】
【００５５】
【図１】（ａ）は本発明のツーリストバッグの一実施例を正面側から見た斜視図であり、（ｂ）は背面側から見た斜視図である。
【図２】図１に示したツーリストバッグを展開した状態を示す斜視図である。
【図３】（ａ）および（ｂ）は図２の状態から図１の状態に戻すためにツーリストバッグを折畳む際の手順を示す斜視図である。
【図４】図２に示したIV−IV線に沿って断面した断面図である。
【図５】（ａ）はスライドファスナーを開けた状態のツーリストバッグ本体および中に収納するためのズボンホルダを示す斜視図であり、（ｂ）はズボンホルダの反対側の面を示す斜視図である。
【図６】スライドファスナーを開けた状態のツーリストバッグ本体および中に収納したズボンホルダを示す斜視図である。
【図７】（ａ）は吊下げバンドを示す斜視図、（ｂ）は吊下げバンドを取付けた状態の本発明のツーリストバッグの第２実施例を示す斜視図、（ｃ）はキャリングケースに本発明のツーリストバッグを引掛けた状態を示す斜視図である。
【図８】本発明のツーリストバッグの第３実施例を示す図４と同様の断面図である。
【図９】本発明のツーリストバッグの第４実施例の背面側から見た斜視図である。
【図１０】第４実施例のツーリストバッグを展開した状態を示す斜視図でありる。
【図１１】（ａ）はスライドファスナーを開けた状態の第４実施例のツーリストバッグ本体および中に収納するためのズボンホルダを示す斜視図であり、（ｂ）はズボンホルダの反対側の面を示す斜視図である。
【図１２】スライドファスナーを開けた状態の第４実施例のツーリストバッグ本体および中に収納したズボンホルダを示す斜視図である。
【図１３】第４実施例におけるハンガー取付け部材を示す部分斜視図である。
【符号の説明】
【００５６】
１  ツーリストバッグ
２  ズボンホルダ
３  吊下げバンド
１１  外側シート体
１２  内側シート体
１３  仕切りシート体
１４  マチ片
１５  スライドファスナー
１６ａ、１６ｂ、１６ｃ  面ファスナー
１７  保持具
１８  面ファスナー
２７  面ファスナー
【図１】
2006223668.tif 000003
【図２】
2006223668.tif 000004
【図３】
2006223668.tif 000005
【図４】
2006223668.tif 000006
【図５】
2006223668.tif 000007
【図６】
2006223668.tif 000008
【図７】
2006223668.tif 000009
【図８】
2006223668.tif 000010
【図９】
2006223668.tif 000011
【図１０】
2006223668.tif 000012
【図１１】
2006223668.tif 000013
【図１２】
2006223668.tif 000014
【図１３】
2006223668.tif 000015